(57)【要約】【課題】  結合の安定性及び使用寿命を向上できるＤＩＹ式木質床板の係合ユニットを提供する。【解決手段】  第一係合部４は、上表面に木質板底面の一側の凹溝に対応する第一凸状嵌合部４１を有し、二枚の相隣する木質板の接合箇所に対応するＴ型部４２を有し、内側端部に凸状部４３を有し、内部に第一係合溝４４を有する。第二係合部５は、上表面に木質板底面の一側の凹溝に対応する第二凸状嵌合部５１を有し、内側端部に凸状部４３と接合する凹状部５２を有し、内部に第二係合溝５３を有する。二つのばね式金具６は、開口端が互いに向かい合って第一係合溝４４内および第二係合溝５３内にしっかり挟まることで、第一係合部４および第二係合部５を係合ユニット７に構成するものである。【選択図】    図７
2005324436.tif 000002
【特許請求の範囲】
【請求項１】
上表面に木質板底面の一側の凹溝に対応する第一凸状嵌合部を有し、二枚の隣接する木質板の接合箇所に対応するＴ型部を有し、内側端部に凸状部を有し、内部に第一係合溝を有する第一係合部と、
上表面に木質板底面の一側の凹溝に対応する第二凸状嵌合部を有し、内側端部に第一係合部の凸状部と接合する凹状部を有し、内部に第二係合溝を有する第二係合部と、
開口端が互いに向かい合って前記第一係合溝内および前記第二係合溝内にしっかり挟まり、第一係合部および第二係合部を係合ユニットに構成する二つのばね式金具と、
を備えることを特徴とするＤＩＹ式木質床板の係合ユニット。
【請求項２】
凸状部と凹状部の接合深度は、２ｍｍから６ｍｍの間であり、第一係合部と第二係合部の間に５ｍｍまで伸張可能な隙間を有し、二枚の相隣する木質板の収縮に対応可能であることを特徴とする請求項１に記載のＤＩＹ式木質床板の係合ユニット。
【請求項３】
係合ユニットは、ばね式金具が取り外されるとき、独立し、木質板側底面に使用する二つの支持部を形成することを特徴とする請求項１に記載のＤＩＹ式木質床板の係合ユニット。
【発明の詳細な説明】
【技術分野】
【０００１】
本発明は、ＤＩＹ式木質床板の係合ユニットに関し、特に、不規則な地形での木質床板の組みつけに適用でき、かつ木質板の伸縮に伴って隙間を自動調整可能な係合ユニットの構造に関するものである。
【背景技術】
【０００２】
木質床板は、冬暖かく、夏涼しいことや、幼児が転んで硬質地面にぶつかることを防止することなどの長所を有するために、一般の家庭によく受け入れられている。しかし、木質床板は、板を一枚ずつ組み合わせることにより構成されている。木質床板を組み付ける場合、収縮隙間は非常に重要なポイントであるため、経験のある業者に釘を打ってもらわないと、使用して日にちがあまり経たないうちに、変形または突起が生じ、床板全体を交換しなければならなくなるという欠点がある。従って、手間賃が木板の材料費より何倍も高くなるため、総工費が非常に高くなり、使用者の負担が大きくなる。また、室内の僅かな部分的な組み付けまたはあまり大きくない工程の場合、業者に施工しに来てもらえないことがある。
【０００３】
それにより、自己組立式（ＤＩＹ）木質床板が広汎に受け入れられるようになっている。ＤＩＹ方法だから、簡単な施工作業が必要ではあるが、一般の使用者は自ら組み付けができる。それに対応して木質床板のＤＩＹ用係合ユニットが生み出されている。
【０００４】
図１に示すように、周知の木質床板ＤＩＹ組合せ用の係合ユニット１は、プラスッチク材質の射出により一体成型される方形塊状であって、中央にＴ型部１１を有し、両側にそれに対応する凸状部１２および凸状部１３を有する。組み付け方法は、図２に示すように、一枚の木質板２ｂの側辺の凸柱２１をもう一枚の木質板２ａの凹口２２に傾斜させて嵌め込み、そののち、図３Ａに示すように、平坦に置くことで、係合ユニット１のＴ型部１１が二枚の木質板２ａおよび木質板２ｂの互いに対応する凸状縁部２３の上方に位置付けられ、縦方向の位置決めに用いられ、そして、両側の凸状部１２と凸状部１３がそれぞれ木質板２ａまたは木質板２ｂ底面の凹溝２４に嵌まり、横方向の位置決めに用いられることである。
【０００５】
前述の周知の係合ユニット１は、一体成型され、設計理念が係合ユニット１を二枚の木質板２ａと木質板２ｂの嵌合位置の下方に設置することにより、二枚の木質板２ａと木質板２ｂを結合することであるため、組合せに便利であるという長所があるが、それに対して下記のような欠点が生じる。例えば、木質板２ｂを壁ｗの近くに組み付ける場合、係合ユニット１は一体成型されているものであるため、余っている部分Ｌが切断されなければならず、図３Ｂに示すように、僅か半分の係合ユニット１’の形態のみで木質板２ｂの外側底面を支持することや、切断作業がＤＩＹの消費者にとって非常に不便であることや、係合ユニット１のプラスチック材質が硬く、表面が滑って切断しにくいため、消費者に手を怪我させることなどの欠点がある。
【０００６】
また、前述の係合ユニット１のもう一つの欠点は、図４Ａおよび図４Ｂに示すように、木質板２ａと木質板２ｂが嵌合された後、接合箇所には一定の隙間Ｔ１があり、また、木質板の種類は松、桧、欅または檀などがあるため、材質の特性が異なり、そして、木質板は環境、気候または湿気によって収縮または膨張の変化が大きいため、図４Ｂに示すように、二枚の木質板２ａおよび木質板２ｂに収縮変化が生じ、隙間をＴ２まで増大させる場合、係合ユニット１は両側の張力作用を受け、凸状部１２および凸状部１３のあたりから断裂し、木質床板の全体構造および使用寿命に影響を及ばす。
【０００７】
また、図５に示すように、周知のＤＩＹ式係合ユニットは、軌道式を呈する。つまり、所定の数量の平行する係合軌道３は、予め地面に敷かれる。すべての係合軌道３は、多数個の係合ユニット３ａ、３ｂ、３ｃ、３ｄ、３ｅ‥‥‥３ｎを連結することにより構成され、係合ユニットごとに右側にフック３１を有することで、木質板２ａ、２ｂ‥‥‥２ｎを係合ユニット３ａ、３ｂ‥‥‥３ｎの上に係合して組み付けるものである。
【０００８】
しかし、前述の係合軌道３の欠点は、平行舗装しなければならないため、地面が方形または矩形を呈する空間にしか適用されないのに対し、多くの家庭の地面は円弧または斜辺等の不規則な形状があるため、適用されないということである。従って、このようなＤＩＹ式係合ユニットは、地形の要素に制限され、使用範囲があまり大きくないのが、欠点の一つである。また、図６に示すように、このような係合軌道のもう一つの欠点は、すべての係合ユニット３ａ‥‥３ｎのフック３１が木質板２ａ‥‥２ｎの右側の凸状縁部２３のみを係合し、相対的な左側にはフックが何もないため、係合軌道３の最後の係合ユニット３ｎの左側には木質板２ｎ左側を位置決めするためのフックがなく、木質板２ｎは開かれ易く、脱落することや、結合が安定しないことなどの問題点があるということである。
【発明の開示】
【発明が解決しようとする課題】
【０００９】
本発明の主な目的は、すべての係合ユニットが二つの係合部を並列させることにより構成され、接合箇所にはばね式金具を有することで、係合ユニットをその上の木質板に伴って移動させ、隙間を収縮調節することができ、断裂が発生することなく、結合の安定性及び使用寿命を増進するＤＩＹ式木質床板の係合ユニットを提供することにある。
【００１０】
本発明のもう一つの目的は、係合ユニットの二つの係合部が簡単に取り外し可能で、木質床板の前後端にあわせて使用され、消費者にとって使用をより容易にするＤＩＹ式木質床板の係合ユニットを提供することにある。
本発明のもう一つの目的は、係合ユニットが各種の地形に適用でき、使用範囲を増進するＤＩＹ式木質床板の係合ユニットを提供することにある。
【課題を解決するための手段】
【００１１】
上述の目的を達成するために、本発明に採用される技術手段は、第一係合部と、第二係合部と、二つのばね式金具とを備える。
第一係合部は、上表面に木質板底面の一側の凹溝に対応する第一凸状嵌合部を有し、二枚の相隣する木質板の接合箇所に対応するＴ型部を有し、内側端部に凸状部を有し、第一係合部の内部には第一係合溝を有する。
【００１２】
第二係合部は、上表面に木質板底面の一側の凹溝に対応する第二凸状嵌合部を有し、内側端部に第一係合部の凸状部と接合する凹状部を有し、第二係合部の内部には第二係合溝を有する。
【００１３】
二つのばね式金具は、開口端が互いに向かい合って前述第一係合溝内および第二係合溝内にしっかり挟まることで、第一係合部および第二係合部を係合ユニットに構成するものである。
【００１４】
前述の構成では、凸状部と凹状部の接合深度は、２mmから６ｍｍの間であり、第一係合部と第二係合部の間が５ｍｍまで伸張可能な隙間を有することで、二枚の相隣する木質板の収縮に対応可能である。
また、係合ユニットは、ばね式金具が取り外される場合、独立し、木質板側底面に使用する二つの支持部を形成する。
【発明を実施するための最良の形態】
【００１５】
図７および図８に示すように、本発明の一実施例によるＤＩＹ式木質床板の係合ユニット７は、第一係合部４と、第二係合部５と、二つのばね式金具６とを備える。
第一係合部４は、上表面に木質板底面の一側の凹溝に対応する第一凸状嵌合部４１を有し、木質板は先行技術の図２に示すような市販の規格であるため、詳しい説明を省く。
【００１６】
第一係合部４は、二枚の相隣する木質板の接合箇所に対応するＴ型部４２を有し、かつ内側端部に凸状部４３を有し、内部に第一係合溝４４を有する。
第二係合部５は、上表面に木質板底面の一側の凹溝２４（図１１および図１２に示す）に対応する第二凸状嵌合部５１を有し、内側端部に第一係合部４の凸状部４３と接合する凹状部５２を有し、また、第二係合部５の内部には第二係合溝５３を有する。
【００１７】
二つのばね式金具６は、開口端が互いに向かい合って前記第一係合溝４４内および第二係合溝５３内にしっかり挟まることで、第一係合部４と第二係合部５を係合ユニット７に構成するものである。
図９は、図８の９−９線の断面図である。第一係合部４と第二係合部５は、通常、ばね式金具６の弾力により相互並列する。
【００１８】
図１０に示すように、第一係合部４および第二係合部５は、張力を受ける場合、接合箇所から分離して隙間Ｔが形成される。本実施例の設計は、隙間Ｔの最大伸張を５ｍｍ前後に達させるため、凸状部４３と凹状部５２の接合深度は２ｍｍから６ｍｍ前後にしなければならない。
【００１９】
上述の技術手段により、本実施例による係合ユニット７は、伸縮調整可能な弾性並列体を呈する。使用状態は、図１１に示すように、係合ユニット７全体が二枚の相隣する木質板２ａと木質板２ｂの接合箇所の底面に嵌まるのである。使用方法は、先行技術の係合ユニット１と同じであるが、周知の係合ユニット１の欠点はない。つまり、係合ユニット７の第一係合部４および第二係合部５は取り外し可能で、独立し、端部の支持部として木質板の右側および左底面に使用されるため、使用者がＤＩＹ式で床板を組み付ける場合、のこぎりで係合ユニットを切ることなく、使用し易いだけでなく、安全なものである。
【００２０】
本発明のもう一つの長所は、図１２に示すように、左右の相隣する木質床板２ａと木質床板２ｂが環境または気候の影響を受けて伸縮する場合、係合ユニット７は木質床板２ａおよび木質床板２ｂに伴って隙間Ｔを調整できることである。つまり、第一係合部４および第二係合部５はそれぞれ木質床板に伴って弾性的に移動し、断裂することなく、使用寿命を確保し、木質床板の結合の安定を図ることができるものである。
【００２１】
図１３は、各木質床板２ａおよび係合部２ｂ‥‥２ｅなどを組み付けした後の底面を示す図である。係合ユニット７は二枚の相隣する木質床板の接合箇所に嵌まり、凸状縁部２３および凹溝２３に沿って前後移動し、一番好ましい位置に達することが可能である。従って、地形の影響にかかわらず、係合ユニット７を必要に応じて設置することが可能である。周知の係合軌道３と比較して、本実施例は、使用範囲が比較的大きいため、一般の家庭のＤＩＹ使用に最適であり、進歩性を有するものである。
【図面の簡単な説明】
【００２２】
【図１】従来の係合ユニットの斜視図である。
【図２】従来の係合ユニットの使用状態を示す模式図である。
【図３（Ａ）】従来の係合ユニットの使用状態を示す模式図である。
【図３（Ｂ）】従来の係合ユニットの使用状態を示す模式図である。
【図４（Ａ）】従来の係合ユニットの使用状態を示す模式図である。
【図４（Ｂ）】従来の係合ユニットの使用状態を示す模式図である。
【図５】従来の係合軌道の斜視図である。
【図６】従来の係合軌道の使用状態を示す断面図である。
【図７】本発明の一実施例によるＤＩＹ式木質床板の係合ユニットを示す分解斜視図である。
【図８】本発明の一実施例によるＤＩＹ式木質床板の係合ユニットを示す斜視図である。
【図９】図８を９−９線で切断した断面図である。
【図１０】本発明の一実施例によるＤＩＹ式木質床板の係合ユニットの引っ張られた状態を示す断面図である。
【図１１】本発明の一実施例によるＤＩＹ式木質床板の係合ユニットの使用状態を示す模式図である。
【図１２】本発明の一実施例によるＤＩＹ式木質床板の係合ユニットの使用状態を示す模式図である。
【図１３】本発明の一実施例によるＤＩＹ式木質床板の係合ユニットの使用状態を示す模式図である。
【符号の説明】
【００２３】
４  第一係合部、５  第二係合部、６  ばね式金具、７  係合ユニット、４１  第一凸状嵌合部、４２  Ｔ型部、４３  凸状部、４４  第一係合溝、５１  第二凸状嵌合部、５２  凹状部、５３  第二係合溝
【図１】
2005324436.tif 000003
【図２】
2005324436.tif 000004
【図３（Ａ）】
2005324436.tif 000005
【図３（Ｂ）】
2005324436.tif 000006
【図４（Ａ）】
2005324436.tif 000007
【図４（Ｂ）】
2005324436.tif 000008
【図５】
2005324436.tif 000009
【図６】
2005324436.tif 000010
【図７】
2005324436.tif 000011
【図８】
2005324436.tif 000012
【図９】
2005324436.tif 000013
【図１０】
2005324436.tif 000014
【図１１】
2005324436.tif 000015
【図１２】
2005324436.tif 000016
【図１３】
2005324436.tif 000017